(57)【特許請求の範囲】
【請求項１】
カードリーダ本体とＩＣカード挿入扉とで構成されるＩＣカード挿入扉付きカードリーダにおいて、カードリーダ本体には、磁気ヘッドを取り付けたヘッドハウジングがテンションバーを介して取り付けられ、また本体の入り口側には磁気カード走行方向と鉛直方向に回転する揺動レバーが取り付けられ、本体の出口側には磁気カード走行方向と同一平面内に回転する旋回レバーが取り付けられ、磁気カード挿入時には、前記揺動レバーと旋回レバーとが、順次回転して、前記ＩＣカード挿入扉の固定を行うことを特徴とするＩＣカード挿入扉付きカードリーダ。
【請求項２】
前記ＩＣカード挿入扉付きカードリーダにおいて、磁気カードを読みとる際には案内になる扉とそれを固定するレバーをカード走行路上に配置し、磁気カードを走行することにより前記ＩＣカード挿入扉を固定する機能を有する請求項１記載のＩＣカード挿入扉付きカードリーダ。
【請求項３】
前記ＩＣカード挿入扉付きカードリーダにおいて、ＩＣカード挿入の際、ＩＣカード挿入扉が開閉することを特徴とする請求項１または２に記載のＩＣカード挿入扉付きカードリーダ。
【請求項４】
前記ＩＣカード挿入扉は、前記ＩＣカード挿入の時は開閉し、磁気カード走行の時は固定されることを特徴とする請求項１ないし３のいずれかに記載のＩＣカード挿入扉付きカードリーダ。
【請求項５】
前記磁気カードとＩＣカードを同一平面内で走行可能とした請求項１ないし４のいずれかに記載のＩＣカード挿入扉付きカードリーダ。
【発明の詳細な説明】
【０００１】
【発明の属する技術分野】
本発明は、磁気カードの走行案内とＩＣカードの開閉扉を兼用する扉を有し、両カードを同一平面上にて走行可能としたＩＣカード挿入扉付きカードリーダーに関するものである。
【０００２】
【従来の技術】
従来のカードリーダは、磁気カードとＩＣカードを兼用させるために、挿入口を別々に配置して、それぞれの読み取り装置を配置していた。
【０００３】
【発明が解決しようとする課題】
このような従来のカードリーダでは、磁気カードとＩＣカードの挿入口を別々に配置していたため、それぞれの読み取り装置を同一平面に配置できず、そのため、カードリーダ自体の寸法が大きくなるという問題点があった。
【０００４】
本発明の目的は、これらの欠点を除去するため、同一平面内に磁気カード、ＩＣカードの走行面を有することを可能としたＩＣカード挿入扉付きカードリーダを提供することである。
【０００５】
【課題を解決するための手段】
本発明によれば、磁気カード走行案内とＩＣカード挿入用の扉を兼ねるＩＣカード挿入扉を有するＩＣカード挿入扉付きカードリーダを提供するものである。また、走行案内時のＩＣカード挿入扉の固定は、磁気カード走路上に設けたレバーにより磁気カード走行時のみ、ＩＣカード挿入扉の固定が可能としている。また、磁気カードとＩＣカードを同一平面内にて走行、挿入が可能なＩＣカード挿入扉付きカードリーダとしている。
【０００６】
即ち、本発明は、カードリーダ本体とＩＣカード挿入扉とで構成されるＩＣカード挿入扉付きカードリーダにおいて、カードリーダ本体には、磁気ヘッドを取り付けたヘッドハウジングがテンションバーを介して取り付いており、また本体の入り口側には磁気カード走行方向と鉛直方向に回転する揺動レバーが取り付けられ、本体の出口側には磁気カード走行方向と同一平面内に回転する旋回レバーが取り付けられていて、磁気カード挿入時には、前記揺動レバーと旋回レバーとが、順次回転して、前記ＩＣカード挿入扉の固定を行うＩＣカード挿入扉付きカードリーダである。
【０００７】
また、本発明は、前記ＩＣカード挿入扉付きカードリーダにおいて、磁気カードを読みとる際には案内になる扉とそれを固定するレバーをカード走行路上に配置し、前記カードを走行することにより前記ＩＣカード挿入扉を固定する機能を有するＩＣカード挿入扉付きカードリーダである。
【０００８】
また、本発明は、前記ＩＣカード挿入扉付きカードリーダにおいて、ＩＣカード挿入の際、ＩＣカード挿入扉が開閉することを特徴とするＩＣカード挿入扉付きカードリーダである。
【０００９】
また、本発明は、前記ＩＣカード挿入扉は、前記ＩＣカード挿入の時は開閉し、磁気カード走行の時は固定されるＩＣカード挿入扉付きカードリーダである。
【００１０】
また、本発明は、前記磁気カードとＩＣカードを同一平面内で走行可能としたＩＣカード挿入扉付きカードリーダである。
【００１１】
【実施例】
本発明の実施例によるＩＣカード挿入扉付きカードリーダについて、以下に説明する。
【００１２】
図１は、本発明のＩＣカード挿入扉付きカードリーダの説明図である。図１（ａ）は平面図であり、図１（ｂ）は正面図であり、図１（ｃ）は背面図である。
【００１３】
図２は、磁気カード走行時のＩＣカード挿入扉付きカードリーダの動作を示す説明図である。図２（ａ）、図２（ｂ）、 図２（ｃ）、図２（ｄ）は、磁気カード１１が順次走行する時の揺動レバー６の動作を示す正面図であり、図２（ｅ）、 図２（ｆ）、図２（ｇ）、図２（ｈ）は、先の図２（ａ）、図２（ｂ）、 図２（ｃ）、図２（ｄ）に対応した背面図である。
【００１４】
図３は、先の図２に引き続いて、磁気カード走行時のＩＣカード挿入扉付きカードリーダの動作を示す説明図である。図３（ａ）、図３（ｂ）、 図３（ｃ）、図３（ｄ）、図３（ｅ）は、先の図２の場合から更に磁気カードが走行した後の状態にて、磁気カード１１が順次走行する時の、揺動レバー６と旋回レバー７の動作を示す平面図である。
【００１５】
図４は、ＩＣカード挿入扉付きカードリーダにＩＣカードを挿入する状態を示す平面図である。
【００１６】
図５は、先の図４の状態から、ＩＣカード１２をＩＣカード挿入扉付きカードリーダ内に差込み、ついで引き抜く状態を示す側面図である。図５（ａ）、図５（ｂ）、 図５（ｃ）、図５（ｄ）、図５（ｅ）は、ＩＣカード１２を順次差込んだ時の、ＩＣカード挿入扉５の動作を示す側面図であり、図５（ｆ）は、ＩＣカード１２を引き抜いた時の、ＩＣカード挿入扉５の動作を示す側面図である。
【００１７】
図１、図２、及び図３より、ＩＣカード挿入扉付きカードリーダの本体４には、磁気ヘッド１を取り付けたヘッドハウジング２がテンションバー３を介して取り付いている。また、入り口側には、磁気カード走行方向と鉛直方向に揺動レバー６が取り付き、出口側には走行方向と同一平面内にて回転する旋回レバー７が取り付いている。
【００１８】
揺動レバー６は、ａを支点に揺動可能とし［図２（ａ）を参照］拘束バネ９にて本体に押さえつけられている。また、旋回レバー７は、ｂを支点とし［図３（ａ）を参照］拘束バネ８にて本体４に押さえつけられている。
【００１９】
ＩＣカード挿入扉５は、ｃを支点とて開閉し、拘束バネ１０にて本体４に押さえつけられている。
【００２０】
図２を用いて磁気カード走行時のＩＣカード挿入扉付きカードリーダ動作を説明する。磁気カードを本体の挿入溝に挿入すると、揺動レバー６に当たる［図２（ｂ），図２（ｆ）］。そのまま磁気カードを走行させることで、支点ａを中心に揺動レバー６が揺動し、揺動レバー６の背面がＩＣカード挿入扉５を押さえつける［図２（ｃ），図２（ｇ）］。
【００２１】
磁気カードが走行中、揺動レバー６が上がっている間は、ＩＣカード挿入扉５が本体４に押さえ続けられる。その後、磁気ヘッド１を通過し、本体出口の旋回レバー７当たる［図３（ａ）］。
【００２２】
さらに、磁気カードが進むと、旋回レバー７が支点ｂを中心に旋回し、ＩＣカード挿入扉５を押さえつける［図３（ｂ），図３（ｃ）］。さらに、磁気カードが進むと、入り口側の揺動レバー６が磁気カード１１より外れ、拘束バネ９により元の位置に戻る。この際に、ＩＣカード挿入扉５は、旋回レバー７により本体に押さえつけられているので、開閉しない［図３（ｄ）］。
【００２３】
磁気カード１１の読み取りが終わり磁気カード１１が本体４を抜けると、拘束バネ８により旋回レバー７が元の位置に復帰する。
【００２４】
ＩＣカード１２の挿入時は（図５）、揺動レバー６、旋回レバー７ともＩＣカード挿入扉５には触れておらず、ＩＣカード挿入扉５は、拘束ばね１０にて本体に押さえつけられている。ＩＣカード１２が磁気ヘッド１を越え、さらに押し込むと、ＩＣカード挿入扉５に当たる。
【００２５】
その後、さらにＩＣカードを押すと、ＩＣカード挿入扉５は、支点ｃを中心に回転し、ＩＣカード１２が挿入される。その後、ＩＣカード１２を引き抜くと、拘束バネ１０にてＩＣカード挿入扉５が元の位置に復帰する。
【００２６】
【発明の効果】
以上、述べたように、本発明のＩＣカード挿入扉付きカードリーダは、走行案内と挿入口のＩＣカード挿入扉を一緒にすることにより、同一平面内でＩＣカード、磁気カードを走行、挿入することができ、磁気カード、ＩＣカード併用のカードリーダを小型化することが可能となるものである。
【図面の簡単な説明】
【図１】本発明のＩＣカード挿入扉付きカードリーダの説明図。図１（ａ）は平面図、図１（ｂ）は正面図、図１（ｃ）は背面図。
【図２】磁気カード走行時のＩＣカード挿入扉付きカードリーダの動作を示す説明図。図２（ａ）、図２（ｂ）、 図２（ｃ）、図２（ｄ）は、磁気カードが順次走行する時の揺動レバーの動作を示す正面図、図２（ｅ）、 図２（ｆ）、図２（ｇ）、図２（ｈ）は、先の図２（ａ）、図２（ｂ）、 図２（ｃ）、図２（ｄ）に対応した背面図。
【図３】先の図２（ｄ）に引き続いて、磁気カード走行時のＩＣカード挿入扉付きカードリーダの動作を示す説明図。図３（ａ）、図３（ｂ）、図３（ｃ）、図３（ｄ）は、先の図２の場合に比較して更に磁気カードが走行した後の状態にて、磁気カードが順次走行する時の、揺動レバーと旋回レバーの動作を示す平面図。
【図４】ＩＣカード挿入扉付きカードリーダにＩＣカードを挿入する状態を示す平面図。
【図５】先の図４の状態から、ＩＣカードをＩＣカード挿入扉付きカードリーダ内に差込みついで引き抜く状態を示す側面図。図５（ａ）、図５（ｂ）、 図５（ｃ）、図５（ｄ）、図５（ｅ）は、ＩＣカードを順次差込んだ時の、ＩＣカード挿入扉の動作を示す側面図、図５（ｆ）は、ＩＣカードを引き抜いた時の、ＩＣカード挿入扉の動作を示す側面図。
【符号の説明】
１    磁気ヘッド
２    ヘッドハウジング
３    テンションバー
４    本体
５    ＩＣカード挿入扉
６    揺動レバー
７    旋回レバー
８    拘束バネ
９    拘束バネ
１０    拘束バネ
１１    磁気カード
１２    ＩＣカード
ａ，ｂ，ｃ  支点
【図１】
0004458446.tif 000002
【図２】
0004458446.tif 000003
【図３】
0004458446.tif 000004
【図４】
0004458446.tif 000005
【図５】
0004458446.tif 000006